【事件の表示】
　平成１１年特許願第　２７５９５号「スクリーン印刷方法」拒絶査定不服審判事件〔平成１２年　８月１５日出願公開、特開２０００−２２５６８５〕について、次のとおり審決する。
【結　論】
　本件審判の請求は、成り立たない。
【理　由】
１　手続の経緯・本願発明
　本願は、平成１１年２月４日の出願であって、その請求項１に係る発明は、平成１５年９月２４日付けの手続補正書によって補正された明細書及び図面の記載からみて、その特許請求の範囲の請求項１に記載された事項により特定される、以下のとおりのものと認める。（以下「本願発明」という。）　
　「【請求項１】基板位置決め部の基板保持部上に基板を搬入する工程と、基板をマスクプレートの下面に当接させる工程と、スキージを下降させてマスクプレートの上面に押圧した状態で、スキージを移動させて印刷を行い、スキージの移動が完了すると同時に、ブレーキ部をロック状態にすることによりスキージの下降を阻止する工程と、基板位置決め部のＺ軸テーブルの下降を開始してスクリーンマスクのパターン孔内のクリーム半田を版抜きする工程と、ブレーキ部によるスキージのロックを解除してスキージを上昇させる工程とを含むことを特徴とするスクリーン印刷方法。」
　なお、請求項１には「基板と搬入する」及び「下面の当接させる」と記載されているが、それぞれ、「基板を搬入する」及び「下面に当接させる」の誤記であると認められるから、上記のように認定した。 
　
２　引用刊行物記載の発明
　これに対して、原査定の拒絶の理由に引用された、実願平２−１２３６２５号（実開平４−８００８５号）のマイクロフィルム（以下「引用例」という。）には、次の事項が記載されている。
　（１）「本考案は．．．回路基板にクリーム半田を印刷する装置において、スキージをスクリーンに押しつける機構に、その機構を所望の位置でロックするロック機構を設けたことを特徴とするものである。本考案でスキージをスクリーンに押しつける機構に、その機構を所望の位置でロックするロック機構を設けたのは、回路基板にクリーム半田を印刷したスキージをその位置で固定し、その状態で回路基板を下降させることにより、スクリーンのはね返りによる印刷ミスをなくすためである。」（４頁５〜２０行）
　（２）「図−１に示すように回路基板１１の上に、半田印刷パターンの穴１２を有するスクリーン１３を重ね合わせ、スクリーン１３上にクリーム半田１５をのせること、およびスキージ１９はスクリーン１３に対し斜めに配置され、その上部は押しつけ用エアシリンダ２１のロッド２３と一体になっていることは従来と同様である。この実施例が従来と異なる点は、押しつけ用エアシリンダ２１のロッド２３を両側から挟むようにロック用エアシリンダ２５ａ、２５ｂを配置したことである。．．．動作は次のとおりである。すなわち、押しつけ用エアシリンダ２１のＡ室に空気を圧入してスキージ１９をスクリーン１３に押しつけながら、スキージ１９を右から左へ（または左から右へ）移動させると、クリーム半田１７はスクリーン１３の穴１２を通って回路基板１１に刷りこまれる。回路基板１１へのクリーム半田１７の印刷が終了したとき、押しつけ用エアシリンダ２１のＡ室に加えられていた空気圧を抜いて大気圧とする。するとスクリーン１３にかかる重量はスキージ１９だけとなる。そこで図−２に示すように、ロック用エアシリンダ２５ａ、２５ｂのＣ室に空気を圧入して、それらのロッド２７ａ、２７ｂによってエアシリンダ２１のロッド２３を挟持し、スキージ１９をその位置でロックするのである。スキージ１９をロックした状態で回路基板１１を下降させると、スキージ１９とスクリーン１３との間には圧力が加わっていないので、スクリーン１３は静止したままである。したがって回路基板１１に印刷されたクリーム半田１５はスクリーン１３によって潰されることはない。また、クリーム半田１５がスクリーン１３の裏面に付着し、次に来る回路基板１１の印刷ができなくなることもない。回路基板１１を下降させた後は、ロック用エアシリンダ２５ａ、２５ｂのＣ室の空気を抜き、Ｄ室に空気を圧入してロッド２３の挟持を外し、スキージ１９のロックを解除する。次に押しつけ用エアシリンダ２１のＢ室に空気を圧入してスキージ１９を上昇させ、次の工程に移る。」（５頁５行〜７頁４行）
　（３）「本考案は、スキージをスクリーンに押しつける機構に、その機構を所望の位置でロックするロック機構を設け、回路基板にクリーム半田を印刷し終えたスキージをその位置で固定するので、スクリーンが動かない状態でスクリーンから回路基板をはなすことができる。したがって印刷ミスのない生産性の高い回路基板への半田印刷装置を提供することができる効果がある。」（７頁１２〜１９行）
　引用例で本考案としているものは、回路基板へのクリーム半田印刷装置であるが、引用例には、該印刷装置の動作の記載があり、引用例から回路基板へのクリーム半田印刷方法の発明を認定し得る。
　また、引用例において、回路基板１１はスクリーン１３に対して、上昇及び下降させるものである（記載（２）参照）から、Ｚ軸テーブルを備える回路基板１１の位置決め部を有していることは自明である。
　したがって、上記記載事項（１）〜（３）によると、引用例には、
「回路基板１１の上に、半田印刷パターンの穴を有するスクリーン１３を重ね合わせる工程と、スキージ１９をスクリーン１３上に押しつけながら移動させて印刷を行い、印刷が終了したときに、スキージ１９とスクリーン１３との間に圧力が加わっていなく、スクリーンが動かない状態で、スクリーン１３から回路基板１１をはなすことができるように、ロック機構をロック状態にすることにより、印刷し終えたスキージをその位置でロック状態にするすなわち下降を阻止する工程と、回路基板１１の位置決め部のＺ軸テーブルの下降を開始して回路基板１１を下降させる工程と、スキージ１９のロックを解除してスキージ１９を上昇させる工程を含むクリーム半田の印刷方法」の発明（以下、「引用発明」という。）が記載されていると認められる。
　
　同じく原査定の拒絶の理由に引用された、特開平８−２０７２４２号公報には、次の事項が記載されている。
（ア）「クリームはんだ印刷前の基板１３は第１の搬送装置１５により第２の搬送装置１６まで搬送され、第２の搬送装置１６によりマスク１１の直下の印刷位置に搬入される。」（段落【００１４】）
　本願の出願前に頒布された刊行物である特開平４−２３６４８９号公報には、次の事項が記載されている。
（イ）「印刷装置は、回路基板のワークＷを装置内に搬入する入口コンベア１０、入口コンベア装置１０により搬入されたワークＷを固定するチャック装置２０、ワークＷをＸ−Ｙ−Ｚ−θ方向に移動させるトラバース装置３０．．．等から構成されている。」（段落【０００９】）
（ウ）「トラバース装置３０は．．．入口コンベア装置１０により搬入されたワークＷを．．．入口コンベア装置１０から受け取る受取位置、スキージング装置７０によりクリーム半田を印刷する位置、印刷を終えたワークＷを出口コンベア装置９０に受け渡す受渡位置等に移動させる。また、Ｘ−Ｙ−Ｚ−θ方向にワークＷを移動させることにより、ワークＷとマスクＭの基準位置を合致させ、ワークＷの位置決めを正確に行う。」（段落【００１２】）
（エ）「マスクＭの全ての開口部Ｍ３にクリーム半田を刷り込んだ後は、後述するようにＺ軸テーブル６０を下方にゆっくりと下げ、マスクＭとワークＷを所要の版離れ速度で離反させる。」（段落【００６７】）
　同じく本願の出願前に頒布された刊行物である特開平４−２３８０３８号公報には、次の事項が記載されている。
（オ）「ワークＷを装置内に搬入させる．．．装置内に搬入されたワークＷは．．．ワーク受取位置まで移送される。」（段落【００６２】）
（カ）「ワークＷがマスクＭの基準位置に対応するワーク受渡位置に移動すると」（段落【００６７】）
（キ）「本実施例の印刷装置では、上述した版離れ時の版離れ速度（Ｚ軸テーブル６０の下降速度）は以下のようにして制御される。．．．Ｚ軸駆動装置６２のステッピングモータ６２０を作動させてＺ軸テーブル６０を、ワークＷを出口コンベア装置９０を受け渡す位置まで下降させる間に、版離れ速度を次のように変化させる。」（段落【００７４】）
　同じく本願の出願前に頒布された刊行物である特開平３−２３１８８４号公報には、次の事項が記載されている。
（ク）「第３図に示すように、搬送路２０の上を運ばれてきた被印刷体１０が、昇降基台３０の収容凹部３２に移された後、昇降基台３０が上昇して、被印刷体１０が印刷スクリーン４２の下面に配置される。」（第４頁右下欄５〜９行）
　
３　対比
　本願発明と引用発明を対比すると、
　引用発明の「回路基板１１」、「半田印刷パターンの穴１２を有するスクリーン１３」、「ロック機構」、「クリーム半田印刷方法」が、
　本願発明の「基板」、「マスクプレート」、「ブレーキ部」、「スクリーン印刷方法」にそれぞれ相当する。
　引用発明の、回路基板１１（基板）の上にスクリーン１３（マスクプレート）を重ね合わせることは、別の言い方をすれば、回路基板１１（基板）をスクリーン１３（マスクプレート）の下面に当接させることでもある。
　引用発明の、回路基板１１（基板）を下降させる工程は、スクリーン１３（マスクプレート）から当接されていた回路基板１１（基板）をはなすことであり、回路基板１１（基板）上に刷りこまれたスクリーンマスクのパターン孔内のクリーム半田を版抜きする工程でもあることは明らかである。
　したがって、両者は、「基板をマスクプレートの下面に当接させる工程と、スキージを下降させてマスクプレートの上面に押圧した状態で、スキージを移動させて印刷を行い、ブレーキ部をロック状態にすることによりスキージの下降を阻止する工程と、基板位置決め部のＺ軸テーブルの下降を開始してスクリーンマスクのパターン孔内のクリーム半田を版抜きする工程と、ブレーキ部によるスキージのロックを解除してスキージを上昇させる工程とを含むことを特徴とするスクリーン印刷方法。」で一致し、以下の点で相違する。
　相違点１：本願発明では、基板位置決め部の基板保持部上に基板を搬入する工程を含むのに対し、引用発明では搬入する工程を含むか定かでない点
　相違点２：ブレーキ部をロック状態にする時期が、本願発明では、スキージの移動が完了すると同時であるのに対して、引用発明では印刷終了後である点　
　
４　当審の判断
　相違点１について検討する。
　基板にクリーム半田や導電性ペーストなどのペーストを印刷するスクリーン印刷方法において、基板位置決め部の基板保持部上に基板を搬入する工程は本出願前周知（上記摘記事項（ア）〜（ク）を参照）であり、引用発明の印刷方法においても、回路基板の上にスクリーンを重ね合わせる工程に先んじて、基板を印刷位置に位置決めする工程は必須であるから、該工程として、上記周知の工程を採用し、基板を基板位置決め部の基板保持部上に搬入することは当業者が容易になし得ることである。
　
　相違点２について検討する。
　引用発明において、ロック機構（ブレーキ部）をロック状態にすることにより、印刷し終えたスキージの下降を阻止するのは、スキージ１９とスクリーン１３との間に圧力が加わっていなく、スクリーンが動かない状態で、スクリーン１３から回路基板１１をはなすことができるようにするためであるが、そのために、引用例には、スキージを上昇及び下降させる機構としての押しつけ用エアシリンダ２１のＡ室の空気圧を抜いて大気圧とし、スクリーン１３にかかる重量をスキージ（の自重）だけとした後にロック機構（ブレーキ部）をロック状態にすることが記載されている。
　しかし、引用発明は、スキージを上昇及び下降させる機構としての押しつけ用エアシリンダ２１を使用するものに限らず、広く適用できることは自明である。
　そして、ロック機構（ブレーキ部）をロック状態にする時期をどうすれば、スキージ１９とスクリーン１３との間に圧力が加わっていなく、スクリーンが動かない状態で、スクリーン１３から回路基板１１をはなすことができることになるかは、スキージを上昇及び下降させる機構としてどのような機構を採用しているかあるいは使用されるスキージが、印刷時、自然状態からどれだけ変位した状態で移動させるものであるか否か等に依存するものであるから、引用発明において、ロック機構（ブレーキ部）をロック状態にする時期を、相違点２のように、スキージの移動が完了すると同時とすることは、採用するスキージを上昇及び下降させる機構、使用されるスキージの材質等を勘案して、当業者が適宜採用する範囲内のことと認める。　
　
５　むすび
　したがって、本願発明は、引用発明及び従来周知の技術に基づいて当業者が容易に発明をすることができたものであるから、特許法２９条２項の規定により特許を受けることができない。
　よって、結論のとおり審決する。